(57)【要約】【課題】  除湿効率や、加湿効率が外気の温湿度により制限されることを防止する。【解決手段】  除加湿装置１は、除加湿部２を備え、除加湿部２は、外気を取り込んで水分をロータ１２に吸着させる第１の流路１０と、外気を取り込んでロータ１２から脱着した水分で加湿をする第２の流路１１とを有している。第２の流路１１に供給される外気は、除加湿装置２に流入する前に、全熱交換器３において熱交換によって加温される。外気の加温に用いる空気には、室内から排出される室内空気が用いられる。【選択図】    図１
2006170517.tif 000002
【特許請求の範囲】
【請求項１】
外気を通流可能な第１の流路及び第２の流路を有し、前記第１、第２の流路には、前記第１の流路を通流する外気中の水分を吸着して除湿を行う一方で、この水分を用いて第２の流路を通流する外気を加湿する調湿部材が配置されており、除湿時には前記調湿部材に通流する前の外気とこの外気よりも低温の空気との間で熱交換を行い、加湿時には前記調湿部材に通流する前の外気とこの外気よりも高温の空気との間で熱交換を行う熱交換器を前記第１、第２の流路の上流に配置したことを特徴とする除加湿装置。
【請求項２】
低温又は高温の空気が室内から屋外に排出される室内空気であることを特徴とする請求項１に記載の除加湿装置。
【請求項３】
前記熱交換器が全熱交換器であることを特徴とする請求項１又は請求項２に記載の除加湿装置。
【請求項４】
加湿運転に先立って前記調湿部材に水分を吸着させる吸着運転を実施する吸着量制御手段を設けたことを特徴とする請求項１から請求項３のいずれか一項に記載の除加湿装置。
【請求項５】
前記吸着量制御手段は、前記第１の流路において前記調湿部材よりも上流側の位置と下流側の位置の湿度、又は温度を測定するセンサを有し、これらセンサの測定結果に基づいて吸着運転を停止させるように構成されていることを特徴とする請求項４に記載の除加湿装置。
【請求項６】
前記吸着量制御手段は、前記第１の流路において前記調湿部材よりも下流側の位置の湿度を測定するセンサを有し、前記センサの測定結果に基づいて吸着運転を停止させるように構成されていることを特徴とする請求項４に記載の除加湿装置。
【発明の詳細な説明】
【技術分野】
【０００１】
本発明は、外気を調湿しながら室内に供給する除加湿装置に関する。
【背景技術】
【０００２】
室内に供給する空気を除湿したり、加湿したりする除加湿装置には、乾式の調湿部材が用いられているものがある。調湿部材は、吸湿材料を含侵させた円筒状のロータから構成されており、ロータを回転させることで空気から水分を吸着する一方で、吸着した水分を他の空気に脱着させることができる。このような除加湿装置で室内を除湿するときには、水分をロータに吸着させた空気を室内に送風し、加湿時には水分をロータから脱着させて加湿した空気を室内に送風する。
【０００３】
ここで、一般家庭用の除加湿装置では、除湿に用いる吸着空気、及び加湿に用いる再生空気を屋外から取り込むものがある。つまり、加湿運転時には、外気の水分をロータの除湿領域に吸着させる一方で、これとは別の外気をロータの再生領域に通流させ加湿する（例えば、特許文献１参照）。加湿される外気は、一度、ロータの熱回収領域を通って、ロータの熱を回収して温度上昇させられた後に、再生用ヒータでさらに加熱され、ロータの再生領域に導かれる。ロータの熱や、ヒータによって加湿される外気を加温することで、ロータから水分の脱着が促進され、加湿効率が向上されるようになる。
【特許文献１】特開２００２−７１１７２号公報
【発明の開示】
【発明が解決しようとする課題】
【０００４】
しかしながら、従来の除加湿装置で加湿運転をすると、送風される室内の湿度や、温度に比べて、外気の湿度や、温度が低い場合には、室内の温度や、湿度を維持しながら、室内を換気することができなかった。また、屋外から取り込んだ外気をロータの吸着領域、及び再生領域にそれぞれ通流させるので、再生領域での水分の脱着を促進させるためには、吸着領域側の外気の温度に比べて、再生領域側の外気の温度を高くしなければならず、ヒータの投入電力を大きくしなければならなかった。さらに、無給水で加湿を行う場合に、外気の湿度で、室内に送風する外気を加湿するために、室外の湿度が少ない環境下では、加湿能力が低下するという問題があった。また、除湿運転をした場合でも同様の問題が発生し、特に、室内が低温で、屋外が高温の場合には、屋外の暖かい空気が室内に送風されることになるので、室内の温度や、湿度を維持することが困難であった。
この発明は、このような事情に鑑みてなされたものであり、その目的とするところは、除湿効率や、加湿効率が外気の温湿度により制限されることを防止し、除湿効率や、加湿効率を向上することである。
【課題を解決するための手段】
【０００５】
上記の課題を解決する本発明の請求項１に係る発明は、外気を通流可能な第１の流路及び第２の流路を有し、前記第１、第２の流路には、前記第１の流路を通流する外気中の水分を吸着して除湿を行う一方で、この水分を用いて第２の流路を通流する外気を加湿する調湿部材が配置されており、除湿時には前記調湿部材に通流する前の外気とこの外気よりも低温の空気との間で熱交換を行い、加湿時には前記調湿部材に通流する前の外気とこの外気よりも高温の空気との間で熱交換を行う熱交換器を前記第１、第２の流路の上流に配置したことを特徴とする除加湿装置とした。
この除加湿装置では、除湿時には第１の流路の上流で外気と、外気よりも低温の空気との間で熱交換を行い、外気の温度を下げた後に調湿部材の吸着領域に水分を吸着させる。これによって、調湿部材における水分の吸着が促進され、除湿効率が向上する。一方、加湿時には第２の流路の上流で外気と、外気よりも高温の空気との間で熱交換を行い、外気の温度を上げた後に調湿部材に流入させる。加温された外気が調湿部材の再生領域に通流すると、調湿部材における水分の脱着が促進され、加湿効率が向上する。
【０００６】
請求項２に係る発明は、請求項１に記載の除加湿装置において、低温又は高温の空気が室内から屋外に排出される室内空気であることを特徴とする。
この除加湿装置では、外気よりも低温又は高温の空気を室内空気とするとこで、室内の換気を行いながらも、室内から排出される換気空気を利用して除湿効率又は加湿効率を向上させる。なお、低温の空気は、例えば、冷房運転中の室内の空気が用いられ、高温の空気は、例えば、暖房運転中の室内の空気が用いられる。
【０００７】
請求項３に係る発明は、請求項１又は請求項２に記載の除加湿装置において、前記熱交換器が全熱交換器であることを特徴とする。
この除加湿装置では、除湿時には、低温の空気との間で全熱交換を行うことで、外気の水分が除去され、温度がさらに低温化するので、除湿効率が向上する。加湿時には、高温の空気との間で全熱交換を行うことで、外気に水分が取り込まれ、水分が保有する熱量によって外気がさらに暖められるので、加湿効率が向上する。
【０００８】
請求項４に係る発明は、請求項１から請求項３のいずれか一項に記載の除加湿装置において、加湿運転に先立って前記調湿部材に水分を吸着させる吸着運転を実施する吸着量制御手段を設けたことを特徴とする。
この除加湿装置では、吸着量制御手段が、必要に応じて、調湿部材に水分を吸着させる一方で、調湿部材からの脱着は行わせないような吸着運転を行う。このような吸着運転は、通常の加湿運転を行う前に実施され、加湿運転を行う際には、予め調湿部材に水分が十分に吸着された状態で加湿が開始されるようになる。
【０００９】
請求項５に係る発明は、請求項４に記載の除加湿装置において、前記吸着量制御手段は、前記第１の流路において前記調湿部材よりも上流側の位置と下流側の位置の湿度、又は温度を測定するセンサを有し、これらセンサの測定結果に基づいて吸着運転を停止させるように構成されていることを特徴とする。
この除加湿装置では、調湿部材に流入する外気の湿度、又は温度と、調湿部材を通流した後の外気の湿度、又は温度とを測定する。この測定の結果、湿度差、又は温度差が小さい場合には、調湿部材に十分に水分が吸着されたものとして、吸着運転を終了させる。
【００１０】
請求項６に係る発明は、請求項４に記載の除加湿装置において、前記吸着量制御手段は、前記第１の流路において前記調湿部材よりも下流側の位置の湿度を測定するセンサを有し、前記センサの測定結果に基づいて吸着運転を停止させるように構成されていることを特徴とする。
この除加湿装置では、調湿部材を通流した後の外気の湿度を測定し、湿度が吸着開始前の湿度に対して所定値以上になった場合には、調湿部材に十分に水分が吸着されたものとして、吸着運転を終了させる。
【発明の効果】
【００１１】
本発明によれば、加湿時には、外気よりも高温の空気を熱交換器に供給し、この空気によって加温された外気を調湿部材に流入させて加湿を行い、除湿時には、外気よりも低温の空気を熱交換器に供給し、この空気によって冷やされた外気を調湿部材に流入させて除湿を行うようにしたので、加湿効率及び除湿効率を向上することができ、特に、第２の流路にヒータを設ける場合に、ヒータの投入電力を低減させることができる。ここで、熱交換器に供給する空気を、室内からの換気空気にすると、室内の換気を行いながら加湿又は除湿を行うことが可能になり、換気空気の熱量を有効に活用することができ、加湿効率又は除湿効率が向上する。したがって、加湿運転時に外気温が低い場合でも加湿を十分に行うことができ、除湿運転時に外気温が高い場合でも除湿を十分に行うことができる。また、熱交換器として、全熱交換器を使用すると、外気中又は室内空気中の水分に含まれる熱量を有効に活用することができる。さらに、吸着量制御手段を設けると、通常の加湿運転に先立って、調湿部材に水分を十分に吸着させておくことができるので、加湿運転開始時の加湿量を向上させたり、安定した加湿量が得られたりする。このような吸着運転を行う際には、調湿部材の吸着を行う領域の前後に温度センサや、湿度センサを設け、調湿部材の前後における湿度変化や、温度変化を測定すると、調湿部材への水分の吸着量を適切な量に制御することができる。
【発明を実施するための最良の形態】
【００１２】
発明を実施するための最良の形態について図面を参照しながら詳細に説明する。
図１に示すように、除加湿装置１は、無給水での加湿、及び除湿を行う除加湿部２と、全熱交換器３と、これらに接続される各種のダクト４Ａ，４Ｂ，５Ａ，５Ｂ，６，７Ａ，７Ｂ，８，９とを主な構成要素としている。除加湿部２は、図１中に破線で示すように第１の流路１０と、第２の流路１１とが平行に形成されており、これら第１、第２の流路１０，１１をまたがるように調湿部材であるロータ１２が回転自在に設けられている。ロータ１２は、円柱状のハニカム構造にシリカゲルや、ゼオライトなどの吸湿材料を含侵させたもので、第１、第２の流路１０，１１と平行な軸線回りに回転自在に支持されている。この実施の形態では、ロータ１２は、各流路１０，１１に略均等に露出するように配置されており、第１の流路１０に露出する領域が、水分を吸着する吸着領域１２Ａとなり、第２の流路１１に露出する領域が、水分を脱着する再生領域１２Ｂとなる。
【００１３】
第１の流路１０には、外気の流れ方向に沿って順番に、外気を導入する吸気孔１３と、ロータ１２の吸着領域１２Ａと、吸着用送風ファン１４と、外気を排出する排気孔１５とが順番に配設されている。第２の流路１１は、外気の流れ方向に沿って順番に、外気を導入する吸気孔１６と、外気を加温するヒータ１７と、ロータ１２の再生領域１２Ｂと、再生用送風ファン１８と、外気を排出する排気孔１９とが配設されている。
【００１４】
さらに、このように構成された除加湿部２の第１の流路１０の吸気孔１３には、吸気ダクト４Ａが接続されており、第２の流路１１の吸気孔１６には、吸気ダクト４Ｂが接続されており、これら吸気ダクト４Ａ，４Ｂは第１流路切換器２０の流出側に接続されている。第１流路切換器２０の流入側には、屋外に開口する２つの吸気ダクト５Ａ、吸気ダクト５Ｂが接続されている。第１流路切換器２０は、流入側の吸気ダクト５Ａ，５Ｂと流出側の吸気ダクト４Ａ，４Ｂを択一に接続可能に構成されており、図１においては、吸気ダクト５Ａと吸気ダクト４Ａとが接続され、吸気ダクト５Ｂと吸気ダクト４Ｂとが接続されているが、吸気ダクト５Ａと吸気ダクト４Ｂ、吸気ダクト５Ｂと吸気ダクト４Ａを接続することも可能である。
【００１５】
ここで、吸気ダクト５Ｂの経路中には、熱交換器である全熱交換器３が設けられている。全熱交換器３は、例えば、仕切板を隔てて二種の気流を一段おきに直交して流通させ、この二種の気流の顕熱及び潜熱を仕切板を介して熱交換させるように構成されており、この実施の形態では、一方の気流には、吸気ダクト５Ｂを通流する外気が用いられ、他方の気流には、室内に接続された換気ダクト６から供給される室内空気、つまり換気空気が用いられる。全熱交換器３を通流した換気空気は、換気ダクト６から屋外に排出されるようになっている。
【００１６】
また、除加湿部２の第１の流路１０の排気孔１５には、排気ダクト７Ａが接続されており、第２の流路１１の排気孔１９には、排気ダクト７Ｂが接続されており、これら排気ダクト７Ａ，７Ｂは第２流路切換器２１の流入側に接続されている。第２流路切換器２１の流出側には、屋外に開口する排気ダクト８と、室内に開口する給気ダクト９とが接続されている。第２流路切換器２１は、流入側の排気ダクト７Ａ，７Ｂと流出側の排気ダクト８、給気ダクト９を択一に接続可能に構成されており、図１においては、排気ダクト７Ａと排気ダクト８とが接続され、排気ダクト７Ｂと給気ダクト９とが接続されているが、排気ダクト７Ａと給気ダクト９、排気ダクト７Ｂと排気ダクト８を接続することも可能である。
【００１７】
次に、この実施の形態の作用について説明する。
まず、加湿運転時には、図１に示す流路構成において、除加湿装置１のロータ１２の回転を開始させ、各送風ファン１４，１８を駆動させる。第１の流路１０には、吸気ダクト５Ａ、第１流路切換器２０、及び吸気ダクト４Ａを通して外気が取り込まれ、この外気が吸着空気としてロータ１２の吸着領域１２Ａに流入する。ロータ１２の吸着領域１２Ａ内では、外気の水分が吸湿材料に吸着されることで除湿され、吸着用送風ファン１４から排気ダクト７Ａ、第２流路切換器２１、及び排気ダクト８を通して屋外に排出される。一方、第２の流路１１には、吸気ダクト５Ｂ、全熱交換器３、第１流路切換器２０、及び吸気ダクト４Ｂを通して外気が導入される。この外気は、除加湿部２に流入する前に、全熱交換器３において、室内からの高温、高湿度の換気空気と全熱交換を行って、その温度、及び湿度が、外気温、及び外気湿度よりも高められた状態で、再生空気として第２の流路１１に流入される。さらに、第２の流路１１内では、ヒータ１７で加温された後に、ロータ１２の再生領域１２Ｂ内に導かれる。ロータ１２は、第１の流路１０で水分を吸着させた部分が、回転移動によって第２の流路１１内に移動し、再生領域１２Ｂとして機能する。すなわち、高温の外気によって吸湿材料に吸着されていた水分が脱着し、この水分を含む湿潤な空気が形成される。この空気は、再生用送風ファン１８から排気ダクト７Ｂ、第２流路切換器２１、及び給気ダクト９を通して室内に送風され、室内を加湿する。
【００１８】
除湿運転時には、第１流路切換器２０が全熱交換器３を経路中に有する吸気ダクト５Ｂと吸気ダクト４Ａとを接続させ、熱交換を行った外気を第１の流路１０に供給させる。一般に、除湿運転時は、室内が低温で、屋外が高温になっているので、全熱交換器３を通る外気は、低温、低湿度の換気空気と全熱交換をすることによって、相対的に低温、低湿度の空気となり、この空気が吸着空気としてロータ１２の吸着領域１２Ａに供給される。一方、第２流路切換器２１は、排気ダクト７Ａと給気ダクト９とを接続させる。その結果、第１の流路１０で除湿された空気が室内に送風され、室内が加湿される。なお、第２の流路１１には、全熱交換されない外気が吸気ダクト５Ａ、第１流路切換器２０、及び吸気ダクト４Ｂを通して供給され、加湿後の空気は、排気ダクト７Ｂ、第２流路切換器２１、及び排気ダクト８を通して屋外に排出される。
【００１９】
この実施の形態では、除加湿部２よりも上流側に全熱交換器３を設け、加湿時には、外気と、室内からの換気空気との間で全熱交換を行い、外気の温度、及び湿度を高めた状態でロータ１２の再生領域１２Ｂに外気に流入させるようにしたので、ロータ１２の再生領域１２Ｂに導入される外気の温度を高くすることができる。これによって、第２の流路１１中の再生空気と、第１の流路１０の吸着空気との間の相対的な湿度差を大きくすることができ、再生領域１２Ｂにおける水分の脱着が促進され、加湿量を増大させることができる。したがって、外気の温度や、湿度によらずに、室内の温度を維持しながら加湿をすることができる。ここにおいて、全熱交換器３を用いることで、第２の流路１１に供給される外気は、その湿度が高くなるが、顕熱だけを交換する場合に比べて外気の温度を高くすることができるので、全熱交換による湿度の増加分を差し引いても加湿効率を向上させることができる。また、全熱交換によって外気を加温された空気として取り込むことが可能になるので、第２の流路１１内のヒータ１７の投入電力を低減することができ、エネルギ効率を向上させることができる。
【００２０】
また、除湿時には、外気と、室内からの換気空気との間で全熱交換を行い、外気の温度、及び湿度を低くしてからロータ１２の吸着領域１２Ａに外気に流入させるようにしたので、ロータ１２の吸着領域１２Ａに導入される外気の温度を低くすることができ、吸着領域１２Ａにおける水分の吸着を促進させ、吸着量を増大させることができる。したがって、外気の温度や、湿度によらずに、室内の温度を維持しながら除湿をすることができる。
【００２１】
次に、この発明の第２の実施の形態について図２から図３を参照して説明する。なお、前記実施の形態と同じ構成要素には同一の符号を付してある。また、重複する説明は省略する。
図２に示すように、この除加湿装置３０では、除加湿部２の第１の流路１０において、ロータ１２よりも上流側に第１湿度センサ３１が設けられ、ロータ１２よりも下流側に第２湿度センサ３２が設けられている。これら第１、第２湿度センサ３１，３２の出力は、制御装置３３に接続されており、これら第１、第２湿度センサ３１，３２、及び制御装置３３で吸着量制御手段が構成されている。
【００２２】
この実施の形態の作用について、図３のフローチャートを主に参照して説明する。
まず、通常の加湿運転又は除湿運転を行っている場合には（ステップＳ１０１においてＹｅｓ）、吸着用送風ファン１４と、再生用送風ファン１８とをそれぞれ運転させる（ステップＳ１０２）。その結果、前記第１の実施の形態と同様にして第１の流路１０で吸着が行われ、第２の流路１１で再生が行われ、加湿された空気又は除湿された空気が室内に送風される。運転を終了するときは（ステップＳ１０５でＹｅｓ）、吸着用送風ファン１４と、再生用送風ファン１８と、ロータ１２とを停止させる。
【００２３】
これに対して、加湿運転、除湿運転を行っていない場合には（ステップＳ１０１においてＮｏ）、図２に示す第１、第２湿度センサ３１，３２、及び制御装置３２で吸着入出口湿度差を求める（ステップＳ１０３）。吸着入出口湿度差は、第１湿度センサ３１で検出した外気の湿度を対する第２湿度センサ３２で検出した外気（吸着空気）の湿度差として算出される。この吸着入出口湿度差が、所定値以上、例えば、上流側の第１湿度センサ３１の検出値の１０％以上である場合には（ステップＳ１０３でＹｅｓ）、吸着用送風ファン１４のみを運転させ（ステップＳ１０４）、再生用送風ファン１８は停止させ、吸着運動を開始する。この間、ロータ１２を回転しているので、第１の流路１０において水分がロータ１２全体に吸着される。なお、吸着用送風ファン１４の風量は、加湿運転時と同じも良いし、それよりも少量でも良い。そして、吸着入出口湿度差が所定値（例えば、上流側の第１湿度センサ３１の検出値の１０％）未満になるまで、ステップＳ１０１からステップＳ１０４の処理を繰り返し、吸着入出口湿度差が所定値未満になったら（ステップＳ１０３でＮｏ）、吸着用送風ファン１４、及びロータ１２を停止して運転を終了する（ステップＳ１０５においてＹｅｓ）。
【００２４】
このようにして吸着運転が行われると、後に加湿運転を実施する際には、ロータ１２に水分が十分に吸着された状態で加湿運転が開始され、再生空気が室内に供給される。このため、加湿運転を介した直後から十分に加湿された再生空気が室内に供給される。さらに、所定時間経過後でも十分に加湿された再生空気が安定して供給される。
【００２５】
このような吸着運転を行うタイミングとしては、例えば、ユーザの選択によって加湿運転を終了した後や、ユーザが不図示の操作手段で吸着運転の実施を選択した場合などがあげられる。また、制御装置３３内に設けられたタイマに、昼間にユーザが室内に居ない時間帯を設定し、この時間帯に自動的に吸着運転を行うようにしても良い。さらに、夜間、ユーザが就寝している時間帯に自動的に、又はユーザの設定によって吸着運転をしても良い。夜間の電力使用料が昼間に比べて安い場合には、ランニングコストの削減が図れる。
【００２６】
この実施の形態によれば、加湿運転に先駆けて予めロータ１２に水分を蓄えておくことができるので、加湿運転を開始したときに、速やかに湿度の高い再生空気を室内に供給することが可能になる。また、ロータ１２に吸着されている水分量が多いので、加湿効率が高い状態を長く持続することができる。その他の効果は、前記実施の形態と同様である。なお、ステップＳ３における吸着入出口湿度差の閾値は、１０％に限定されずに、その除加湿装置３０、及び設置場所に最適な値を使用することができる。
【００２７】
ここにおいて、第２湿度センサ３２のみを設け、吸着運転開始前の湿度に対して、８０％以上になったら、吸着運転を停止するようにしても同様の作用、及び効果が得られる。また、第１、第２湿度センサ３１，３２の代わりに温度センサを設け、ロータ１２の上流側と、下流側との温度差によって吸着運転を終了させるようにしても良い。一般に、水分が吸着させられた後の吸着空気は、吸着前に比べて温度が上昇することが知られているので、制御装置３３は、温度センサで検出した温度差が一定の値になったら、吸着運転を終了するように制御する。また、制御装置３３に吸着運転を開始してからの経過時間を計測するタイマを設けて、予め設定されている時間が経過した後に吸着運転を停止するようにしても良い。そして、屋外の温湿度を検出するセンサを設けて、屋外の温度が下がって吸着限界に至った場合には、吸着運転を停止するようにしても良い。
【００２８】
なお、本発明は、前記の各実施の形態に限定されずに広く応用することができる。
例えば、除加湿部２は、乾式で、吸着と加湿とを行えるものであれば如何なる構成でも良く、特に、吸着用送風ファン１４や、再生用送風ファン１８の位置は、実施の形態に限定されず、少なくとも一方の送風ファン１４，１８の代わりに全熱交換器３のファンを用いても良い。また、調湿部材は、ロータ１２の代わりにバッチ的に間欠運転するものでも良いし、矩形状でも良い。
また、第１の流路１０で除湿された吸着空気を室内に供給可能に配管し、ユーザの選択などによって、加湿された再生空気と、除湿された吸着空気とが選択的に室内に送風されるようにしても良い。
さらに、換気空気は、加湿や、除湿を行う室内の空気に限定されずに、他の部屋や、家屋など、屋外に対して仕切られている空間であれば良い。
全熱交換器３を吸気ダクト５Ａにも設け、換気ダクト６に流路切換器を設けて、除湿時には吸気ダクト５Ａの全熱交換器３に換気空気を供給し、加湿時には吸気ダクト５Ｂの全熱交換器３に換気空気を供給するようにしても良い。
【図面の簡単な説明】
【００２９】
【図１】この実施の形態に係る除加湿装置の概略構成を示す図である。
【図２】除加湿装置の概略構成を示す図である。
【図３】除加湿装置の制御の一例を示すフローチャートである。
【符号の説明】
【００３０】
１，３０    除加湿装置
３      全熱交換器（熱交換器）
１０    第１の流路
１１    第２の流路
１２    ロータ（調湿部材）
３１    第１湿度センサ（吸着量制御手段）
３２    第２湿度センサ（吸着量制御手段）
３３    制御装置（吸着量制御手段）
【図１】
2006170517.tif 000003
【図２】
2006170517.tif 000004
【図３】
2006170517.tif 000005